(57)【要約】【課題】十分に安定した接合強度が得られる冷間圧接を行うことのできる冷間圧接用ダイスを提供する。【解決手段】一対のダイス片１ａ〜１ｄで各線材１１ａ、１１ｂを把持するコイルチャック部２を構成するペアダイス１００、１０１を２個備え、各コイルチャック部２に把持された各線材１１ａ、１１ｂ同士が当接させるように両ペアダイス１００、１０１を突き合わせて各線材１１ａ、１１ｂ同士を接合する冷間圧接用ダイス１において、各コイルチャック部２の両ペアダイス１００、１０１の突き合わせ部４の近傍の内壁部２ａは、各コイルチャック部２に把持される各線材１１ａ、１１ｂの外形部に接することがないように各線材１１ａ、１１ｂの外形部の大きさより大きく形成されている。【選択図】図１
2016027944.tif 000002
【特許請求の範囲】
【請求項１】
一対のダイス片で線材を把持するコイルチャック部を構成するペアダイスを２個備え、上記各コイルチャック部に把持された上記線材同士が当接させるように上記両ペアダイスを突き合わせて上記線材同士を接合する冷間圧接用ダイスにおいて、
上記各コイルチャック部の上記両ペアダイスの突き合わせ部の近傍の内壁部は、上記各コイルチャック部に把持される上記各線材の外形部に接することがないように上記各線材の外形部の大きさより大きく形成されている冷間圧接用ダイス。
【請求項２】
上記コイルチャック部の上記両ペアダイスの突き合わせ部の近傍以外の内壁部は、上記各線材の外形部に当接する箇所を有するように形成されている請求項１記載の冷間圧接用ダイス。
【請求項３】
上記コイルチャック部の上記両ペアダイスの突き合わせ部の近傍以外の内壁部は、
上記各コイルチャック部に把持される上記各線材の外形部に接することがないように上記各線材の外形部の大きさより大きく形成されている第１箇所と、
上記各線材の外形部に当接する箇所を有するように形成されている第２箇所とが交互に形成されている請求項１記載の冷間圧接用ダイス。
【請求項４】
上記線材は、当該線材の外周が絶縁被膜部にて被覆されている場合、
上記コイルチャック部において、上記第２箇所の大きさは、上記線材の上記絶縁被膜部を除く大きさより小さく形成されている請求項３に記載の冷間圧接用ダイス。
【請求項５】
請求項１から請求項４のいずれか１項に記載の冷間圧接用ダイスを用いて圧接される線材において、
上記線材は、外周が絶縁被膜部にて被覆され、
上記コイルチャック部に挿入した際の上記突き合わせ部に相当する部分は、上記絶縁被膜部が除去されている線材。
【請求項６】
上記コイルチャック部に挿入した際の上記コイルチャック部に挿入される箇所に相当する部分全ては、上記絶縁被膜部が除去されている請求項５に記載の線材。
【請求項７】
冷間圧接にて接合された線材において、
上記線材の接合部近傍の断面積は、上記線材の素線の断面積より大きく形成されている線材。
【請求項８】
請求項１ないし請求項４のいずれか１項に記載の冷間圧接用ダイスを用いて冷間圧接にて接合された線材において、
上記線材の接合部近傍の断面積は、上記線材の素線の断面積より大きく形成されている線材。
【請求項９】
一対のダイス片で線材を把持するコイルチャック部を構成するペアダイスを２個備え、上記各コイルチャック部に把持された上記線材同士が当接させるように上記両ペアダイスを突き合わせて上記線材同士を接合する冷間圧接用ダイスにおいて、
上記線材として、第１線材と、上記第１線材の硬さより柔らかい硬さの第２線材を用いる場合、
上記コイルチャック部の上記両ペアダイスの突き合わせ部の外周にはバリ収納部が形成され、
上記バリ収納部は、上記コイルチャック部からテーパ形状にて形成されるとともに、
当該テーパ形状のテーパ角は、上記線材の内、上記第２線材が挿入される側の断面形状が、上記第１線材を挿入される側より大きく形成されている冷間圧接用ダイス。
【請求項１０】
上記線材として、第１線材と、上記第１線材の硬さより柔らかい硬さの第２線材を用いる場合、
上記コイルチャック部の上記両ペアダイスの突き合わせ部の外周にはバリ収納部が形成され、
上記バリ収納部は、上記コイルチャック部からテーパ形状にて形成されるとともに、
当該テーパ形状のテーパ角は、上記線材の内、上記第２線材が挿入される側の断面形状が、上記第１線材を挿入される側より大きく形成されている請求項１から請求項４のいずれか１項に記載の冷間圧接用ダイス。
【発明の詳細な説明】
【技術分野】
【０００１】
この発明は、十分に安定した接合強度が得られる冷間圧接を行うことのできる冷間圧接用ダイスおよび線材に関するものである。
【背景技術】
【０００２】
従来の線材を結線する工法の一つである冷間圧接工法は、冷間圧接機のフレームの上部に対向配置された両Ｖブロックの間にダイスを組み込み、フレームに軸支されたレバーを回動することにより、両Ｖブロックを互いに押圧させ、ダイスの間に突き合わせて挿入された線材を冷間圧接する。ダイスは４つのダイス片からなり、集合することでダイス孔を構成する。ダイス片の傾斜面がＶブロックの傾斜面に当接するようにダイスはＶブロックに組み込まれる。ダイス孔に線材を挿入し、その端部が互いに突き合うようにする。接続作業が開始されると、ダイスは、まずＶブロックの移動方向に圧接される。続いて、ダイスはＶブロックの傾斜面に沿ってスライドし、ダイス孔の軸方向にも圧接されて線材の突き合わせ面を圧縮する（例えば、特許文献１参照）。上記のような冷間圧接機に用いられる従来のダイスは、ダイス中央部に線材把持部を有し、線材把持部にこれと直交した複数の溝を形成して線材の滑りを防止している（例えば、特許文献２参照）。
【先行技術文献】
【特許文献】
【０００３】
【特許文献１】特開平８−５７６６２号公報
【特許文献２】実公平３−４０４７０号公報
【発明の概要】
【発明が解決しようとする課題】
【０００４】
先述の従来の冷間圧接用ダイスおよび線材のように、一般的な冷間圧接機で使用されている従来のダイスは、通常、ダイス孔の形状が線材の外径に合わせた円筒状に形成されている。従って、ダイス孔より線材の外径が小さいと線材が滑り、大きいと線材がダイス孔に入りきらず、ダイス孔と線材の形状が合っていなければ十分な冷間圧接が行えないという問題点があった。
【０００５】
また、後述の従来のダイスは、線材把持部に設けられた溝により、線材の外径のばらつきを多少吸収できると考えられる。しかし、線材の肉が溝に食い込むと、線材が線材把持部から外れず線材を送ることができなくなり、十分に冷間圧接を行えない懸念がある。また、実際の線材の導体径のばらつきや絶縁被膜厚さのばらつきを考えると、溝だけでは十分に線材の外径のばらつきを吸収できない問題点があった。
【０００６】
また、両従来のダイスおよびそのダイスで冷間圧接された線材では、上記線材の導体径および絶縁被膜厚さのばらつきに加えて冷間圧接によって結線する１対の線材それぞれの端面形状のばらつきがあり、結線部の接合強度を確保するためには線材の端面を仕上げ加工する等、線材の状態管理に細心の注意を要する問題点があった。
【０００７】
この発明は上記のような課題を解決するためになされたものであり、線材の外径および線材の端面形状がばらついた場合でも、十分に安定した接合強度が得られる冷間圧接を行うことのできる冷間圧接用ダイスおよび線材を提供することを目的とする。
【課題を解決するための手段】
【０００８】
この発明の冷間圧接用ダイスは、
一対のダイス片で線材を把持するコイルチャック部を構成するペアダイスを２個備え、上記各コイルチャック部に把持された上記線材同士が当接させるように上記両ペアダイスを突き合わせて上記線材同士を接合する冷間圧接用ダイスにおいて、
上記各コイルチャック部の上記両ペアダイスの突き合わせ部の近傍の内壁部は、上記各コイルチャック部に把持される上記各線材の外形部に接することがないように上記各線材の外形部の大きさより大きく形成されている。
【０００９】
また、この発明の線材は、
冷間圧接にて接合された線材において、
上記線材の接合部近傍の断面積は、上記線材の素線の断面積より大きく形成されているものである。
【００１０】
また、この発明の冷間圧接用ダイスは、
一対のダイス片で線材を把持するコイルチャック部を構成するペアダイスを２個備え、上記各コイルチャック部に把持された上記線材同士が当接させるように上記両ペアダイスを突き合わせて上記線材同士を接合する冷間圧接用ダイスにおいて、
上記線材として、第１線材と、上記第１線材の硬さより硬さが柔らかい第２線材を用いる場合、
上記コイルチャック部の上記両ペアダイスの突き合わせ部の外周にはバリ収納部が形成され、
上記バリ収納部は、上記コイルチャック部からテーパ形状にて形成されるとともに、
当該テーパ形状のテーパ角は、上記両線材の内、上記第２線材が挿入される側の断面形状が、上記第１線材を挿入される側より大きく形成されているものである。
【発明の効果】
【００１１】
この発明の冷間圧接用ダイスおよび線材は上記に示すように構成されているため、
線材の外径および線材の端面形状がばらついた場合でも、十分に安定した接合強度が得られる冷間圧接を行うことができる。
【図面の簡単な説明】
【００１２】
【図１】この発明の実施の形態１の冷間圧接用ダイスの構成を示す斜視図である。
【図２】図１に示した冷間圧接用ダイスの構成を示す上面図である。
【図３】図１に示した冷間圧接用ダイスの構成を示す断面図である。
【図４】図１に示した冷間圧接用ダイスの動作を説明する説明図である。
【図５】図１に示した冷間圧接用ダイスを用いて冷間圧接後の線材の構成を示す図である。
【図６】図１に示した冷間圧接用ダイスを用いて冷間圧接後の線材の構成を示す図である。
【図７】図１に示した冷間圧接用ダイスを用いて冷間圧接後の線材の構成を示す図である。
【図８】この発明の実施の形態２における冷間圧接用ダイスの構成を示す断面図である。
【図９】この発明の実施の形態３における冷間圧接用ダイスの構成を示す断面図である。
【図１０】図９に示した冷間圧接用ダイスを用いて冷間圧接後の線材の構成を示す図である。
【図１１】この発明の実施の形態３における他の冷間圧接用ダイスの構成を示す断面図である。
【図１２】この発明の実施の形態３における他の冷間圧接用ダイスの構成を示す断面図である。
【図１３】この発明の実施の形態４における冷間圧接用ダイスおよび線材の構成を示す断面図である。
【図１４】この発明の実施の形態４おける他の冷間圧接用ダイスおよび線材の構成を示す断面図である。
【図１５】この発明の実施の形態４における他の冷間圧接用ダイスおよび線材の構成を示す断面図である。
【図１６】この発明の実施の形態５における冷間圧接用ダイスおよび線材の構成を示す断面図である。
【発明を実施するための形態】
【００１３】
実施の形態１．
以下、本願発明の実施の形態について説明する。図１はこの発明の実施の形態１の冷間圧接用ダイスの構成を示す分解斜視図および組み合わせ斜視図、図２は図１に示した冷間圧接用ダイスの構成を示す上面図、図３は図１に示した冷間圧接用ダイスの構成の図２におけるＸ−Ｘ方向断面を示す断面図であり、図３（ａ）は線材の挿入前を、図３（ｂ）は線材の挿入後をそれぞれ示し、図３（ｄ）、図３（ｅ）は図３（ａ）における（ｄ）および（ｅ）箇所の線材の挿入前のコイルチャック部の詳細を説明するための拡大断面図と、図３（ｅ）、図３（ｆ）は図３（ｂ）における（ｅ）および（ｆ）箇所の、線材の挿入後のコイルチャック部および線材の詳細を説明するための拡大断面図とをそれぞれ示す。
【００１４】
図４は図１に示した冷間圧接用ダイスにおいて、線材を冷間圧接する場合の動作を説明する説明図、図５は図１に示した冷間圧接用ダイスを用いて冷間圧接を行った後の線材の構成を示す図、図６は図１に示した冷間圧接用ダイスを用いて冷間圧接を行った前および後の絶縁被膜部を外周に備えていない線材の構成を示す断面図、図７は図１に示した冷間圧接用ダイスを用いて冷間圧接を行った前および後の絶縁被膜部を外周に備えた線材の構成を示す断面図である。
【００１５】
図において、冷間圧接用ダイス１（以下、ダイス１と称する。）は、４個のダイス片１ａ〜１ｄにより構成されている。そして、ダイス片１ａおよびダイス片１ｂが対となりペアダイス１００を構成し、ダイス片１ｃおよびダイス片１ｄが対となりペアダイス１０１を構成している。これらの２個の両ペアダイス１００、１０１が対となりダイス１を構成する。ペアダイス１００により第１線材１１ａが把持され、ペアダイス１０１により第２線材１１ｂが把持され、各ペアダイス１００、１０１が突き合わせされることで、第１線材１１ａと第２線材１１ｂとが圧接され接合されて、線材１１が形成される。
【００１６】
ペアダイス１００を構成するダイス片１ａとダイス片１ｂとの合わせ面１０には溝部２０がそれぞれ設けられ、ダイス片１ａとダイス片１ｂとを合わせることでこの溝部２０により第１線材１１ａの把持用のコイルチャック部２を構成している。そして、コイルチャック部２への線材１１ａの挿入を容易にするため、コイルチャック部２の線材１１の挿入口側はダイス片１ａ、１ｂの端面には向かってテーパ状に広がって形成されている線材挿入用の案内部３を備えている。
【００１７】
また、コイルチャック部２には、ペアダイス１００側の第１線材１１ａとペアダイス１０１側の第２線材１１ｂとを突き合わせされる突き合わせ部４が形成され、ペアダイス１００、１０１が突き合わせされて押圧された際には、各ペアダイス１００、１０１の突き合わせ部４が突き合わせされて両線材１１ａ、１１ｂを圧接する。ダイス片１ａ、１ｂの突き合わせ部４の周囲には、第１線材１１ａの冷間圧接過程にて生じるバリ１３を逃すためのバリ収納部５が設けられている。
【００１８】
次に、コイルチャック部２の内壁部の詳細について説明する（図３参照）。コイルチャック部２の突き合わせ部４の近傍の内壁部２ａ（図３（ｄ）、図３（ｆ））は、第１線材１１ａの外形部が接することがないように、第１線材１１ａの外形部の大きさより大きく形成されている。ここでは図３（ｆ）に示すように、第１線材１１ａの直径より、内壁部２ａの直径が大きい円形状にて形成されている。さらに、コイルチャック部２の内壁部２ａ以外の内壁部２ｂ（図３（ｃ）、図３（ｅ））は、第１線材１１ａの外形部に当接する箇所Ｚを有するような略楕円形状にて形成されている。ここでは図３（ｅ）に示すように、第１線材１１ａの直径と、内壁部２ｂの縦方向の長さとが略同一に形成されており、当接する箇所Ｚを有するように形成している。尚、ペアダイス１０１の構成は、上記に示したペアダイス１００の構成と同様であるため、その説明は適宜省略する。
【００１９】
次に上記のように構成された実施の形態１のダイスの動作について説明する。まず、ダイス１は、従来と同様の冷間圧接機内に配置する。そして、各ダイス片１ａ〜１ｄが間隔を保持した状態で配置されている。この状態で、図４（ａ）に示すように、ペアダイス１００、１０１のそれぞれの案内部３側からコイルチャック部２に線材１１を挿入する。次に、図４（ｂ）に示すように、各ダイス片１ａ〜１ｄの両側を内側に押圧して図４（ｂ）中の矢印Ａで示す方向に移動する。そして、ダイス片１ａ、１ｂで構成するペアダイス１００のコイルチャック部２内には第１線材１１ａが、また、ダイス片１ｃ、１ｄで構成するペアダイス１０１のコイルチャック部２内には第２線材１１ｂが収まる。そして、内壁部２ｂの箇所Ｚにおいて各線材１１ａ、１１ｂは当接し、コイルチャック部２により各線材１１が把持される。この時、ペアダイス１００とペアダイス１０１とは間隔が保持されたままである。
【００２０】
次に、図４（ｃ）に示すように、両ペアダイス１００、１０１を内側に押圧して（図４（ｃ）中の矢印Ｂで示す方向）、両ペアダイス１００、１０１を突き合わすと、各ペアダイス１００、１０１のコイルチャック部２により把持された両線材１１ａ、１１ｂが圧縮され接合される。そして、圧縮された両線材１１ａ、１１ｂの接合部分の一部はバリ１３となりバリ収納部５に押し出される。次に、図４（ｄ）に示すように、両ペアダイス１００、１０１の各ダイス片１ａ、１ｄおよび各ダイス片１ｃ、１ｄを離反させる（図４（ｄ）中の矢印Ｃで示す方向）。
【００２１】
これらの工程を多段的に繰り返すことで線材１１の接合部の酸化膜・不純物をバリ１３として外部に排出することで安定した冷間圧接を行う。そして、このような工程を経て冷間圧接にて接続された線材１１の接合部は、図５に示すように、線材１１の接合部近傍１１０の断面積は、線材１１の素線の断面積より大きく形成されている。これは、コイルチャック部２の突き合わせ部４の近傍の内壁部２ａを、両線材１１ａの外形部が接することがないように、両線材１１ａの外形部の大きさより大きく形成されているためであり、冷間圧接において、両線材１１ａ、１１ｂの接合部分が圧接され、その応力が両線材１１ａ、１１ｂの外形部の接していない内壁部２ａ側に発散するためである。
【００２２】
次に上記に示した実施の形態１の冷間圧接用ダイス１を用いた冷間圧接によって構成された線材１１の別の例について説明する。例えば、一般的な線材１１は、接合前は図６（ａ）、（ｂ）に示すように、全てが同一直径の円柱の導体１２１のみにて形成される形状である、そして接合後は、図６（ｃ）、（ｄ）に示すように、線材１１の接合部近傍１１０の断面積は、線材１１の素線の断面積より大きく形成されている。
【００２３】
また、線材１１は例えば銅やアルミニウムおよびそれらを主とする合金等の導体１２１にて形成されており、線材１１は導体１２１の外周が絶縁被膜部１２０にて被覆されている場合にも同様に接合される。例えば、線材１１は、接合前は図７（ａ）、（ｂ）に示すように、全てが同一直径の円柱にて形成される形状であるが、接合後は、図７（ｃ）、（ｄ）に示すように、線材１１の接合部近傍１１０の断面積は、線材１１の素線の断面積より大きく形成されている。尚、図６および図７の図は、線材１１として説明したが、接合部から切断した第１線材１１ａまたは第２線材１１ｂのいずれか一方に対応する側のみを示したものであり、さらに、接合後においては、バリ１３が除去された後の状態を示すものである。
【００２４】
上記のように構成された実施の形態１における冷間圧接用ダイスおよび線材によれば、コイルチャック部の両ペアダイスの突き合わせ部の近傍の内壁部は、各コイルチャック部に把持される各線材の外形部に接することがないように各線材の外形部の大きさより大きく形成されており、接合後の線材が、接合部近傍の断面積を他の箇所の断面積より拡径することにより、線材の接合部の近傍部分の断面面積を大きくすることができる。これにより線材の接合部の接合強度を向上させることができ、接合部の品質の信頼性を確保することが可能になる。
【００２５】
特に、モータ製造ラインのように冷間圧接による結線頻度が高いラインにおいて、線材の直径のばらつきや絶縁被膜部の厚さのばらつき等があるが、それらを十分許容できる接合強度が得られるため、結線不良の発生を防止し、製品の品質向上に寄与することができる。このように、精度が高く生産性も高い冷間圧接を提供できるため、モータ製造ラインにおいて安心して冷間圧接工法を採用できる。
【００２６】
また、冷間圧接工法による線材同士の接合は、押し付けて金属の新生面（酸化していない純金属面）における金属結合を利用した接合方法であるため、コネクタ端子による接合のように応力に頼らない。例えば、アルミニウムは経時的にクリープ（応力緩和）が生じる金属であり、アルミニウム線をコネクタ端子で結線しても押さえられたアルミニウム線が経時的に変形してしまう。このため、コネクタ端子の応力が抜けてしまい、結線部の電気抵抗が大きくなって品質不良を招くことがある。これに対し、冷間圧接ではアルミニウム線を確実に接合して結線することができる。上述の通り、本実施の形態１のダイスにより、モータ製造ラインにおいて冷間圧接工法を採用できるため、モータの巻線としてアルミニウム線を用いた場合でも、確実に結線を行え品質の向上を図ることができる。
【００２７】
また、本実施の形態１のように形成された線材の接合部近傍が拡径するが、モータ製造時の、巻線された線材同士を接合するという最終製品の製造工程において、本実施の形態１のような冷間圧接部の線材形状の変形が特に問題とはならない。
【００２８】
例えば、線材製造ラインでは、通常の線材製造時には冷間圧接による線材の結線工程がなく、供給材料の段取替え時のみに供給材料の使い終わりと使い始めを接続する冷間圧接による結線工程が発生する。これに対し、例えば、モータ製造ラインでは、通常のモータ製造時に、ワークごとに複数箇所で引き伸ばされながら巻線された線材同士を接続する冷間圧接による結線工程が発生する。本実施の形態１のダイスは、線材製造ラインのような冷間圧接による結線頻度が低いラインで使用することもできるが、特に、冷間圧接による結線頻度が高いモータ製造ラインにおいて使用することでより効果を発揮する。
【００２９】
尚、線材の接合部近傍や、コイルチャック部の突き合わせ部の近傍とは、接合後の線材の接合部に望まれる条件によって設定されるものである。但し、少なくとも上記の箇所が存在すれば上記実施の形態１の効果を奏することは可能である。また、このことは以下の実施の形態においても同様のことが言えるため、その説明は適宜省略する。
【００３０】
また、本実施の形態１は、冷間圧接可能な材質の線材であれば、どのような材質の線材であっても冷間圧接することができ、また、冷間圧接する第１および第２の線材は異種金属材料であっても、上記実施の形態１と同様の効果を奏することができる。またこのことは以下の実施の形態においても同様のことが言えるため、その説明は適宜省略する。
【００３１】
実施の形態２．
上記実施の形態１においては、コイルチャック部の両ペアダイスの突き合わせ部の近傍の内壁部のみを、各コイルチャック部に把持される各線材の外形部に接することがないように各線材の外形部の大きさより大きく形成する例を示したが、これに限られることはなく、本実施の形態２においては、コイルチャック部の近傍の内壁部の全てにおいて、各コイルチャック部に把持される各線材の外形部に接することがないように各線材の外形部の大きさより大きく形成する場合について説明する。
【００３２】
図８はこの発明の実施の形態２における冷間圧接用ダイスの構成を示す、図２におけるＸ−Ｘ方向断面を示す断面図であり、図８（ａ）は線材の挿入前と、図８（ｂ）は線材の挿入後とをそれぞれ示している。図において、上記実施の形態１と同様の部分は同一符号を付して説明を省略する。コイルチャック部２は、当該内壁部２ｃが、両線材１１ａ、１１ｂの外形部が接することがないように、両線材１１ａ、１１ｂの外形部の大きさより大きく形成されている。但し、このようにコイルチャック部２の場合には、両線材１１ａ、１１ｂを保持する保持部（図示せず）が別途必要となる。
【００３３】
上記のように構成された実施の形態２によれば、上記実施の形態１と同様に動作を行うことにより、同様の効果を奏するのはもちろんのこと、コイルチャック部の形状が簡便となるため製造コストが下がる。また、線材の径が若干異なる場合でも対応することができるため、製品の機種ごとに専用のダイスを製作する必要がなく、段取替えも必要としないため、製造現場の生産性向上に寄与することができる。
【００３４】
実施の形態３．
上記各実施の形態では、線材１１において、絶縁被膜部１２０を備える場合と、絶縁被膜部１２０を備えない場合について同様に説明したが、線材１１に被覆されている絶縁被膜部１２０は通常は滑り性を有する。よって、安定した冷間圧接による線材１１の接合を行うためには冷間圧接時に線材１１が滑らないことが望まれる。本実施の形態３においてはこのことに着目した場合について説明する。尚、本実施の形態３においては、絶縁被膜部１２０を備える線材１１について示すが、絶縁被膜部を備えていない線材１１においても同様に実施することができる。
【００３５】
図９はこの発明の実施の形態３における冷間圧接用ダイスの構成を示す、図２におけるＸ−Ｘ方向断面を示す断面図であり、図９（ａ）は線材の挿入前を、図９（ｂ）は線材の挿入後をそれぞれ示している。図において、上記各実施の形態と同様の部分は同一符号を付して説明を省略する。コイルチャック部２の内壁部は、コイルチャック部２の突き合わせ部４の近傍の内壁部２ｄは、両線材１１ａ、１１ｂの外形部が接することがないように、第１線材１１ａの外形部の大きさより大きく形成されている。さらに、コイルチャック部２の内壁部２ｄ以外の内壁部は、コイルチャック部２に把持される第１線材１１ａの外形部に接することがないように両線材１１ａ、１１ｂの外形部の大きさより大きく形成されている第１箇所としての内壁部２ｅと、両線材１１ａ、１１ｂの外形部に当接する箇所Ｚを有するように形成されている第２箇所としての内壁部２ｆとが交互に形成されている。
【００３６】
尚、ここでは内壁部２ｄと内壁部２ｅとは同様の形状にて形成されている。さらに、第２箇所の内壁部２ｄの大きさは、両線材１１ａ、１１ｂの絶縁被膜部１２０を除く大きさより小さく形成されている。よって、第２箇所の内壁部２ｄは、両線材１１ａ、１１ｂをコイルチャック部２にて把持した際に、両線材１１ａ、１１ｂの各絶縁被膜部１２０の厚みより深いため、絶縁被膜部１２０に食い込むように形成されている。但し、第２箇所の内壁部２ｄは、両線材１１ａ、１１ｂを把持した際に、当然のことながら、絶縁被膜部１２０の役割が果たせる程度に食い込むものであり、破れない程度に設定されているものである。
【００３７】
上記のように構成された実施の形態３のダイス１を用いて冷間圧接を行うと、例えば図１０に示したように、線材１１の外形が凹凸を有するように形成されることとなる。
【００３８】
上記のように構成された実施の形態３のダイスによれば、上記各実施の形態と同様の効果を奏するのはもちろんのこと、第２箇所の内壁部により、線材の絶縁被膜部に楔を入れる効果が発生し、冷間圧接時に線材の滑りを防止する。
【００３９】
また、この発明の実施の形態３における他の冷間圧接用ダイスの構成の例を図１１、および図１２に示す。図１１は、図２におけるＸ−Ｘ方向断面を示す断面図であり、図１１（ａ）は線材の挿入前を、図１１（ｂ）は線材の挿入後をそれぞれ示している。また、図１２は、図２におけるＸ−Ｘ方向断面を示す断面図であり、図１２（ａ）は線材の挿入前を、図１２（ｂ）は線材の挿入後をそれぞれ示している。
【００４０】
上記図９に示した場合は、両線材１１ａ、１１ｂの外形部の大きさより大きく形成されている内壁部２ｄ、２ｅを同心円状全てにおいて同様に大きく形成する例を示しが、これに限られることはなく、図１１に示すように、第１線材１１ａの外形部の大きさより大きく形成されている、コイルチャック部２の突き合わせ部４の近傍の内壁部２ｇおよび、第１箇所の内壁部２ｈは、同心円状全てにおいて同様に大きくするのでは無く、図中において略矩形にて示した部分を大きく形成する場合も同様に行うことができる。また、図１２に示すように、コイルチャック部２の突き合わせ部４の近傍の内壁部２ａは例えば上記実施の形態１と同様に形成し、他の第１箇所の内壁部２ｅおよび第２箇所の内壁部２ｆは、図９に示した上記実施の形態３と同様に形成することも可能である。
【００４１】
実施の形態４．
ここではまず、冷間圧接によって絶縁被膜部１２０が被覆された線材１１の接合を行った場合について説明する。冷間圧接によって生成されたバリ１３には絶縁被膜部１２０が介在しているため、後から絶縁被膜部１２０が周囲に脱落したり、冷間圧接時の条件次第では絶縁被膜部１２０が線材１１の接合部界面に介在する可能性が考えられる。このため絶縁被膜部１２０が施された線材１１を冷間圧接によって接合する際に、事前に線材１１の先端部近傍の絶縁被膜部１２０を除去しておくことにより当該懸念を払拭することができる。また、絶縁被膜部１２０が除去されている導体１２１部分を把持する場合には、絶縁被膜部１２０による滑りが生じることが防止され、安定した冷間圧接による接合を実施することができる。
【００４２】
次に絶縁被膜部１２０の除去について説明する。絶縁被膜部１２０は線材１１の導体１２１に対して強固に密着しているため、絶縁被膜部１２０の除去工程は容易では無い。例えばカッター刃や鉄ブラシ等で機械的に絶縁被膜部１２０を除去することは可能であるが、線材１１の導体１２１の一部を同時に除去してしまうと線材１１の外径がばらついてしまうため冷間圧接時の線材１１の把持状態がばらつくことになる。但し、レーザ等を用いた熱エネルギーによる絶縁被膜部１２０の除去や薬品を用いた化学反応による絶縁被膜部１２０の除去等を行うことにより絶縁被膜部１２０のみを除去するようにすれば可能である。
【００４３】
これらのことにおける、実施の形態４について説明する。図１３はこの発明の実施の形態４における冷間圧接用ダイスの構成を示す、図２におけるＸ−Ｘ方向断面を示す断面図であり線材の挿入後を示している。図において、上記各実施の形態と同様の部分は同一符号を付して説明を省略する。ダイス１は上記実施の形態１と同様に形成されており、各線材１１ａ、１１ｂは、コイルチャック部２に挿入した際の突き合わせ部４に相当する部分は、絶縁被膜部１２０が除去され、導体１２１のみにて形成されている。
【００４４】
また、図１４はこの発明の実施の形態４における他の冷間圧接用ダイスの構成を示す、図２におけるＸ−Ｘ方向断面を示す断面図であり線材の挿入後を示している。図において、上記各実施の形態と同様の部分は同一符号を付して説明を省略する。各線材１１ａ、１１ｂは、図１３に示した場合と同様に、コイルチャック部２に挿入した際の突き合わせ部４に相当する部分は、絶縁被膜部１２０が除去され、導体１２１のみにて形成されている。コイルチャック部２の内壁部２ｉは、全てにおいて、線材１１と略同一の大きさにて形成されている。よって、突き合わせ部４の近傍においては、各線材１１ａ、１１ｂは導体１２１のみにて形成されているため、各コイルチャック部２に把持される各線材１１ａ、１１ｂの外形部に接することがない、各線材１１ａ、１１ｂの外形部の大きさより大きく形成されていることとなる。
【００４５】
また、図１５はこの発明の実施の形態４における他の冷間圧接用ダイスの構成を示す、図２におけるＸ−Ｘ方向断面を示す断面図であり線材の挿入後を示している。図において、上記各実施の形態と同様の部分は同一符号を付して説明を省略する。ここでは、コイルチャック部２に挿入した際のコイルチャック部２に挿入される箇所に相当する部分全ては、絶縁被膜部１２０が除去され、導体１２１のみにて各線材１１ａ、１１ｂが形成されている。ダイス１の各コイルチャック部２の両ペアダイス１００、１０１の突き合わせ部４の近傍の内壁部２ｊは、各コイルチャック部２に把持される各線材１１ａ、１１ｂの外形部、ここでは、絶縁被膜部１２０を除去した導体１２１に接することがないように、各線材１１ａ、１１ｂの導体１２１の外形部の大きさより大きく形成されている。また、コイルチャック部２の両ペアダイス１００、１０１の突き合わせ部４の近傍以外の内壁部２ｋは、各線材１１ａ、１１ｂの外形部、ここでは絶縁被膜部１２０を除去した導体１２１に当接する箇所を有するように形成されている。
【００４６】
上記のように構成された実施の形態４のダイスによれば、上記各実施の形態と同様の効果を奏するのはもちろんのこと、絶縁被膜部を除去して接合するため、絶縁被膜部がバリや接合部界面に介在する可能性を排除することが可能となる。
【００４７】
実施の形態５．
上記各実施の形態においては、線材の種類については特に示していないが、例えば、硬い第１線材１１ａと、この第１線材１１ａの硬さより柔らかい第２線材１１ｂを使用する場合について説明する。このように異種金属を冷間圧接する場合、冷間圧接の過程において生成されるバリ１３の生じ方が線材間で異なる。具体的には、柔らかい第２線材１１ｂの方から先行してバリ１３が生じ、その生じたバリ１３がもう硬い第１線材１１ａからのバリ１３の生成を抑制してしまう可能性がある。
【００４８】
このことを解消するために、ダイス１に設けられたバリ収納部５のテーパ角にペアダイス１００、１０２間で有意差をつけて形成し対応する。すなわち、柔らかい第２線材１１ｂが配設されるペアダイス１０１側のバリ収納部５のテーパ角θ２を、硬い第１線材１１ａが配設されるペアダイス１００側のバリ収納部５のテーパ角θ１より大きく形成する。これにより、接合時に、柔らかい第２線材１１ｂの方にバリ１３が多く発生しても、バリ収納部５のテーパ角θ２が大きく形成されているため容易に安定したバリ１３の排出ができ、つまりは安定した冷間圧接による接合品質を確保することが可能となる。
【００４９】
上記のように構成された実施の形態５のダイスによれば、上記各実施の形態と同様の効果を奏するのはもちろんのこと、バリ収納部のテーパ角を調整することにより、異種金属同士の接合でも接合品質を確保することができる。
【００５０】
尚、本発明は、その発明の範囲内において、各実施の形態を自由に組み合わせたり、各実施の形態を適宜、変形、省略することが可能である。
【符号の説明】
【００５１】
１  冷間圧接用ダイス（ダイス）、１ａ  ダイス片、１ｂ  ダイス片、
１ｃ  ダイス片、１ｄ  ダイス片、２  コイルチャック部、２ａ  内壁部、
２ｂ  内壁部、２ｃ  内壁部、２ｄ  内壁部、２ｅ  内壁部、２ｆ  内壁部、
２ｇ  内壁部、２ｈ  内壁部、２ｉ  内壁部、２ｋ  内壁部、３  案内部、
４  突き合わせ部、５  バリ収納部、１１  線材、１１ａ  第１線材、
１１ｂ  第２線材、１３  バリ、２０  溝部、１００  ペアダイス、
１０１  ペアダイス、１２０  絶縁被膜部、１２１  導体。
【図１】
2016027944.tif 000003
【図２】
2016027944.tif 000004
【図３】
2016027944.tif 000005
【図４】
2016027944.tif 000006
【図５】
2016027944.tif 000007
【図６】
2016027944.tif 000008
【図７】
2016027944.tif 000009
【図８】
2016027944.tif 000010
【図９】
2016027944.tif 000011
【図１０】
2016027944.tif 000012
【図１１】
2016027944.tif 000013
【図１２】
2016027944.tif 000014
【図１３】
2016027944.tif 000015
【図１４】
2016027944.tif 000016
【図１５】
2016027944.tif 000017
【図１６】
2016027944.tif 000018